(57)【要約】【課題】  半導体発光素子を光源とし、この半導体発光素子を覆う透明な包囲体にフレネルレンズを有し、この包囲体の外観性が向上される発光装置およびこの発光装置を具備する照明器具を提供する。【解決手段】  発光装置１は、基板７の一面７ａ側に実装された半導体発光素子８を有する発光体２と、一端側端面３ｃに発光体２が取り付けられ、他端側３ｂに口金３０を有する外郭部材３と、外郭部材３に収容され、口金３０を介して給電されて動作し、半導体発光素子８を点灯する点灯装置４と、開口４２を有し、この開口４２に発光体２の発光部２ａが露出するように外郭部材３の一端側端面３ｃに設けられた不透明の被覆体５と、内面４５ｂ側にフレネルレンズ４８が形成され、このフレネルレンズ４８が発光体２の発光部２ａから放射された光を制御するように外郭部材３の一端側３ａに取り付けられた透明の包囲体６を具備している。【選択図】図２
2012119257.tif 000002
【特許請求の範囲】
【請求項１】
基板の一面側に実装された半導体発光素子を有する発光体と；
一端側端面に前記発光体が取り付けられ、他端側に口金を有する外郭部材と；
この外郭部材に収容され、前記口金を介して給電されて動作し、前記半導体発光素子を点灯する点灯装置と；
開口を有し、この開口に前記発光体の発光部が露出するように前記外郭部材の一端側端面に設けられた不透明の被覆体と；
内面側にフレネルレンズが形成され、このフレネルレンズが前記発光体の発光部から放射された光を制御するように前記外郭部材の一端側に取り付けられた透明の包囲体と；
を具備していることを特徴とする発光装置。
【請求項２】
請求項１記載の発光装置と；
この発光装置の口金が接続されるソケットを有する器具本体と；
を具備していることを特徴とする照明器具。
【発明の詳細な説明】
【技術分野】
【０００１】
本発明の一実施形態は、半導体発光素子を光源とし、半導体発光素子の放射光を照明に利用する発光装置およびこの発光装置を具備する照明器具に関する。
【背景技術】
【０００２】
近年、地球温暖化や環境保全等に対する一対策として、消費電力が小さく、長寿命であるＬＥＤ電球が一般白熱電球や電球形蛍光ランプに替えて使用されている。また、ＬＥＤ電球は、例えば反射鏡付きハロゲンランプに替えて、展示場、店舗や劇場などでスポットライトとしても使用されている。
【０００３】
スポットライトとしてのＬＥＤ電球は、対象物を集中的に照明するために、ＬＥＤの放射光を集光させることが行われている。ＬＥＤは、指向性を有するとは言え、ある程度の照射角度を持って放射される。従来、ＬＥＤの放射光を集光させる手段として、例えば、反射鏡付きＬＥＤが使用され、あるいは凸レンズがＬＥＤの前面側に配設されている。しかし、これらは、ＬＥＤ電球を複雑な構造にし、大型化にし、コストアップさせるという欠点を有する。そこで、簡素な構成であり、軽量であって厚さが比較的小さいフレネルレンズが使用されている（例えば特許文献１参照。）。
【０００４】
フレネルレンズは、例えば、ＬＥＤを覆うカバー（包囲体）に複数個の輪帯レンズによって形成されて、ＬＥＤの前面側に設けられている。そして、外側の輪帯レンズほど、同心円状の中心側にＬＥＤの放射光を屈折させている。これにより、ＬＥＤ電球から平行または集光された光が放射されている。
【先行技術文献】
【特許文献】
【０００５】
【特許文献１】特開２００８−３００３７２号公報（第７頁、第１図）
【発明の概要】
【発明が解決しようとする課題】
【０００６】
スポットライトとしてのＬＥＤ電球は、そのフレネルレンズが形成されるカバーに透明のものを使用することが考えられる。そして、複数個のＬＥＤが基板に実装された発光体が用いられる。この場合、カバーを透過して、ＬＥＤ周囲の配線や部品等が見えて、ＬＥＤ電球の見栄えや外観性を低下させるという問題が発生することになる。
【０００７】
本発明は、半導体発光素子を光源とし、この半導体発光素子を覆う透明な包囲体にフレネルレンズを有し、この包囲体の外観性が向上される発光装置およびこの発光装置を具備する照明器具を提供することを目的とする。
【課題を解決するための手段】
【０００８】
本発明の一実施形態の発光装置は、発光体、外郭部材、点灯装置、被覆体および包囲体を有して構成される。
【０００９】
発光体は、基板の一面側に実装された半導体発光素子を有してなる。
【００１０】
外郭部材は、その一端側端面に発光体が取り付けられ、その他端側に口金を有して形成される。
【００１１】
点灯装置は、外郭部材に収容される。そして、点灯装置は、外郭部材の口金を介して給電されて動作し、半導体発光素子を点灯するように形成される。
【００１２】
被覆体は、不透明であり、発光体が露出可能な開口を有している。そして、その開口に発光体が露出するように外郭部材の一端側端面に設けられ、外郭部材の一端側端面を覆い隠している。
【００１３】
包囲体は、透明であり、その内面にフレネルレンズが形成される。そして、フレネルレンズが発光体の発光部から放射された光を制御するように外郭部材の一端側に取り付けられる。
【発明の効果】
【００１４】
本発明の実施形態によれば、外郭部材の一端側端面に取り付けられた発光体と、開口に発光体の発光部が露出するように外郭部材の一端側端面に設けられた不透明の被覆体と、内面側に形成されたフレネルレンズが発光体の発光部から放射された光を制御するように外郭部材の一端側に取り付けられた透明の包囲体とを具備するので、発光体の放射光を対象物に略平行または集光された光で照射できるとともに、包囲体を透過して発光体の発光部の周囲の配線や部品等が見えることがなく、これにより、発光装置の包囲体における外観性の向上が期待できる。
【図面の簡単な説明】
【００１５】
【図１】本発明の実施例１を示す発光装置の概略側面図である。
【図２】同じく、発光装置の概略側断面図である。
【図３】同じく、包囲体の取付け部分における発光装置の概略拡大側断面図である。
【図４】同じく、発光装置の包囲体を取り外した状態の概略正面図である。
【図５】同じく、発光装置の包囲体および被覆体を取り外した状態の概略正面図である。
【図６】同じく、包囲体を示し、（ａ）は概略側面図、（ｂ）は概略下面図である。
【図７】同じく、図６（ｂ）のＡ−Ａ矢視方向における包囲体の概略側断面図である。
【図８】本発明の実施例２を示す照明器具の概略正面図である。
【図９】同じく、照明器具の一部切り欠き概略側面図である。
【発明を実施するための形態】
【００１６】
以下、本発明の一実施の形態について、図面を参照して説明する。
【実施例１】
【００１７】
本発明の一実施形態の発光装置１は、図１ないし図７に示すように構成される。図２において、発光装置１は、電球用ソケットに着脱されるＬＥＤ電球であり、発光体２、外郭部材３、点灯装置４、被覆体５および包囲体６を有して構成されている。
【００１８】
発光体２は、基板７、半導体発光素子としての複数個のＬＥＤベアチップ８および封止樹脂９を有して形成されている。基板７は、例えばアルミニウム（Ａｌ）の金属板からなり、外形が例えば正四角形に形成されている。ＬＥＤベアチップ８は、例えば青色光を発光するものであり、ＣＯＢ（Chip  On  board）方式によって基板７に実装されている。
【００１９】
すなわち、発光体２は、複数個のＬＥＤベアチップ８が基板７の一面７ａ側に図示しない高熱伝導性を有する絶縁層を介してマトリックス状に実装され、ＬＥＤベアチップ８を包囲して例えばシリコーン樹脂からなる土手１０が設けられている。そして、土手１０内にＬＥＤベアチップ８を覆って封止する例えばシリコーン樹脂などの封止樹脂９が充填されている。封止樹脂９には、ＬＥＤベアチップ８からの青色光の一部により励起されて黄色光を放射する黄色蛍光体１１が混入されている。
【００２０】
基板７の一面７ａ側には、雌コネクタ１２が実装されている。この雌コネクタ１２は、図示しない配線パターンによりＬＥＤベアチップ８に電気接続されている。複数個のＬＥＤベアチップ８は、例えば列毎に、直列接続されている。発光体２は、封止樹脂９の表面が発光部２ａとなり、この発光部２ａから青色光および黄色光が混合した白色光を放射する。
【００２１】
なお、基板７は、ガラスエポキシ材や紙フェノール材などの樹脂材で形成されてもよく、そのものが絶縁性を有するセラミック板などで形成してもよい。
【００２２】
外郭部材３は、高熱伝導率を有する金属材料例えばアルミニウム（Ａｌ）からなり、一端側３ａが他端側３ｂよりも大きい断面略Ｔ形の柱状体に形成されている。そして、一端側端面３ｃの外周には、所定の肉厚を有する環状の周壁部１３が一端側端面３ｃから突出形成されている。一端側端面３ｃは、発光体２の取付け面となっている。
【００２３】
周壁部１３の内面１３ｂには、一端側端面３ｃから一端側端面３ｃの周縁に沿う環状溝１４が形成されている。また、図４または図５に示すように、周壁部１３には、その環状の中心に対して９０°間隔で、その上面１３ｃから環状溝１４に達する所定幅の凹部１５が形成されている。さらに、同じく、環状の中心に対して９０°間隔であって凹部１５，１５の中間に、上面１３ｃから環状溝１４に達する凹部１６が形成されている。凹部１６の幅は、凹部１５の幅の２〜３倍となっている。
【００２４】
また、外郭部材３は、図２に示すように、他端側端面３ｄから一端側３ａに向かって略円柱状の挿入孔１７が形成されている。この挿入孔１７の底面１７ａは、一端側端面３ｃと平行であって一端側端面３ｃとの間で一定の肉厚を有している。そして、底面１７ａには、一端側端面３ｃに貫通する円柱状の貫通孔１８が形成され、一端側端面３ｃには、貫通孔１８に連通する長方形状の凹部１９が形成されている。
【００２５】
また、外郭部材３は、その外面３ｅに一端側端面３ｃから他端側端面３ｄに達する複数個の放熱フィン２０が突出形成されている。この放熱フィン２０は、図１に示すように、外郭部材３の周方向に略等間隔で放射状に形成されているとともに、他端側３ｂから一端側３ａに径方向の突出量が漸次大きくなるように曲線状に傾斜して形成されている。外郭部材３は、例えばアルミダイキャストにより、上述のように成型されたものである。なお、外郭部材３は、熱伝導性の良好な樹脂またはセラミックなどで形成されてもよい。
【００２６】
そして、図５に示すように、一端側端面３ｃには、絶縁紙２１を介して発光体２が取り付けられている。絶縁紙２１は、例えば電気絶縁性のシリコーン樹脂からなり、基板７よりも幾分大きい正四角形に形成されている。基板７および絶縁紙２１のそれぞれの４隅側には、ねじ２２が挿通される図示しない孔が設けられている。４個のねじ２２が当該孔を挿通して、一端側端面３ｃに設けられた図示しないねじ孔に螺着されている。これにより、発光体２は、一端側端面３ｃの中央部に取り付けられている。こうして、外郭部材３は、その一端側端面３ｃに発光体２が取り付けられている。
【００２７】
図２において、外郭部材３の挿入孔１７には、有底の略円筒状に形成された取付け体２３が挿入されて取り付けられている。取付け体２３は、例えばポリブチレンテレフタレート（ＰＢＴ）樹脂により挿入孔１７の壁面に密接する大きさに形成され、電気絶縁性を有する。そして、取付け体２３の一端側２３ａの底面２３ｃには、取付け孔２４が設けられており、この取付け孔２４に挿入されたねじ２５が挿入孔１７の底面１７ａに形成されたねじ孔２６に螺着されている。これにより、取付け体２３は、外郭部材３に一体に取り付けられている。また、取付け体２３の底面２３ｃには、外郭部材３の貫通孔１８に連通する連通孔２７が設けられている。
【００２８】
取付け体２３の他端側２３ｂの外面２３ｄには、環状座２８が突出形成されている。この環状座２８は、外郭部材３の他端側端面３ｄに当接している。また、他端側２３ｂの外面２３ｄには、凸条２９が螺旋状に形成されていて、この凸条２９に口金３０が螺合されている。口金３０は、取付け体２３の他端側２３ｂの外面２３ｄにかしめられて固定されている。
【００２９】
口金３０は、例えばＥ１７形の一般照明電球用のソケットに接続可能なものであり、凸条２９に螺合されてかしめられて固定されるシェル部３１、このシェル部３１の他端側に設けられる絶縁部３２およびこの絶縁部３２の頂部に設けられるアイレット部３３を有して構成されている。口金３０と外郭部材３は、取付け体２３の環状座２８により電気絶縁されている。こうして、外郭部材３は、その他端側３ｂに取付け体２３を介して口金３０を有している。
【００３０】
また、取付け体２３は、その内壁２３ｅに、一端側２３ａの底面２３ｃから他端側２０ｂの端面２３ｆに亘って直線状に凹部３４が正対するように一対形成され、さらに凹部３４に隣接するガイド凸部３５が正対するように一対形成されている。凹部３４は、点灯装置４の基板３６の幅方向の両端部が圧入される幅に形成されているとともに、薄肉の取付け体２３に対して浅く形成されている。ガイド凸部３５は、基板３６を長手方向に沿わせて案内するものである。
【００３１】
点灯装置４は、発光体２のＬＥＤベアチップ８を点灯するものであり、取付け体２３の内部に収容されている。すなわち、外郭部材３の内側に収容されている。そして、点灯装置４は、基板３６およびこの基板３６に実装された電子部品３７などの電気部品を有して形成されている。基板３６は、ガラスエポキシ材などの合成樹脂板やアルミニウム（Ａｌ）などの金属板からなり、長方形に形成されている。金属板の場合、絶縁層が形成されて、電気部品が実装されている。そして、基板３６は、取付け体２３の一対の凹部３４，３４に圧入されるようにして挿入されて、取付け体２３の内側に取り付けられている。
【００３２】
点灯装置４は、その入力側が口金３０のシェル部３１およびアイレット部３３に図示しないリード線で接続され、その出力側が発光体２の基板７に給電線３８により接続されている。発光体２の基板７には、雌コネクタ１２が設けられ、点灯装置４の基板３６には、雌コネクタ３９が設けられている。給電線３８の両端には、それぞれ雄コネクタ４０，４１が設けられている。
【００３３】
給電線３８の雄コネクタ４１は、点灯装置４の雌コネクタ３９に装着されている。そして、雄コネクタ４０は、取付け体２３の連通孔２７、外郭部材３の貫通孔１８および凹部１９を挿通して、発光体２の雌コネクタ１２に装着されている。雄コネクタ４０は、雌コネクタ１２に挿入して接続される部品が用いられている。雄コネクタ４１は、点灯装置４が取付け体２３に取り付けられる前に雌コネクタ３９に装着される。そして、給電線３８および雄コネクタ４０は、発光体２が外郭部材３の一端側端面３ｃに取り付ける前に、連通孔２７、貫通孔１８および凹部１９を挿通させている。こうして、点灯装置４は、口金３０と発光体２のＬＥＤベアチップ８に接続されている。そして、口金３０を介して給電されて動作し、ＬＥＤベアチップ８に所定の定電流を供給してＬＥＤベアチップ８を点灯（発光）するように形成されている。
【００３４】
被覆体５は、外郭部材３の一端側端面３ｃに配設されるものであり、ポリブチレンテレフタレート（ＰＢＴ）樹脂などの不透明の合成樹脂または金属例えばアルミニウム（Ａｌ）により薄肉に形成されている。そして、被覆体５は、円形状の上面５ａおよびフランジ部５ｂ有する円筒体に形成され、その大きさが絶縁紙２１および発光体２を収納可能に形成されている。
【００３５】
また、被覆体５は、その上面５ａが発光体２の土手１０の上面１０ａと同一面または当該上面１０ａに対して幾分上下側となるように形成されている。フランジ部５ｂは、外郭部材３の周壁部１３の内面１３ｂよりも幾分内側となるように形成されていて、包囲体６を外郭部材３の一端側端面３ｃに取付け可能にしている。
【００３６】
そして、図４に示すように、被覆体５の上面５ａには、正方形の開口４２が形成されている。開口４２は、例えば発光体２の土手１０とほぼ同等または若干大きい正方形に形成されている。そして、フランジ部５ｂには、図示しない孔が形成され、外殻部材３の一端側端面３ｃには、当該孔に対応するねじ孔４３（図５に示す。）が形成されている。そして、ねじ４４がその孔に挿入されて、そのねじ孔４３に完全に螺着されている。これにより、被覆体５は、外郭部材３の一端側端面３ｃに設けられ、開口４２に発光体２の発光部２ａが露出するように外郭部材３の一端側端面３ｃを覆い隠している。
【００３７】
包囲体６は、被覆体５を覆うように外郭部材３の周壁部１３に取り付けられるものであり、透明の樹脂材料例えばポリカーボネート（ＰＣ）樹脂により形成されている。図６に示すように、包囲体６は、膨出部４５、環状壁４６、係止片４７およびフレネルレンズ４８に成型されている。膨出部４５は、外郭部材３の周壁部１３と同等の外径を有する正面視円形であって、図７に示すように、その外面４５ａが緩やかな球面に形成され、その内面４５ｂが平面に形成されている。外面４５ａは、内面４５ｂに対して山形に膨出している。
【００３８】
環状壁４６は、膨出部４５の外周側において、その内面４５ｂから周回に亘って垂下している。その垂下長は、内面４５ｂが外郭部材３の一端側端面３ｃに取り付けられる被覆体５と所定の間隔を有するように適宜設定される。また、環状壁４６は、包囲体６が外郭部材３の一端側３ａに取り付けられたときに、その外面４６ａが周壁部１３の外面１３ａとほぼ面一となるように形成されている。環状壁４６は、その下面４６ｃが周壁部１３の上面１３ｃに載置される。そして、環状壁４６の下面４６ｃに係止片４７および延出壁４９が形成されている。
【００３９】
係止片４７は、その内面４７ｂが環状壁４６の内面４６ｂと同一面となるように、環状壁４６の下面４６ｃの内面４６ｂ側から垂下し、その先端に外面４７ａ側に突出する係止爪４７ｃが形成されている。係止爪４７ｃは、外郭部材３の周壁部１３に形成された環状溝１４に挿入して係止可能な形状例えば断面三角形形状に形成されている。また、係止爪４７ｃは、周壁部１３に形成された凹部１５に挿入可能に、その突出長が設定されているとともに、その幅が凹部１５の幅よりも若干小さく設定されている。係止片４７は、その幅が係止爪４７ｃの幅と同等である。また、係止片４７の垂下長は、係止爪４６ｃが環状溝１４に挿入可能に設定されている。係止片４７は、環状壁４６の環状の中心６ｃに対して９０°間隔で４個形成されている。
【００４０】
延出壁４９は、係止片４７と同様に、その内面４９ｂが環状壁４６の内面４６ｂと同一面となるように、環状壁４６の下面４６ｃの内面４６ｂ側から垂下して下面４６ｃの周回に亘って形成されているとともに、係止片４７の周回方向の両側を環状壁４６の下面４６ｃまで切り欠きしている。この切り欠きにより、係止片４７は、その係止爪４７ｃ側が環状壁４６の下面４６ｃを支軸として多少弾性的に振れる。延出壁４９の垂下長は、係止片４７の垂下長よりも多少小さくしている。
【００４１】
そして、係止片４７および延出部４９は、それらの外面４７ａおよび外面４９ａが外郭部材３の周壁部１３の内面１３ｂに当接または近接するように、環状壁４６に形成されている。
【００４２】
図６に示すように、延出部４９の外面４９ａには、直方体状の凸部５０が一体に形成されている。この凸部５０は、外郭部材３の周壁部１３に形成された凹部１６に対応して設けられたものであり、係止片４７，４７の中間であって環状壁４６の環状の中心６ｃに対して９０°間隔で４個設けられている。そして、凸部５０は、その突出長が凹部１６に挿入可能であって、凹部１６の周回方向の内壁に当接可能に形成されている。
【００４３】
フレネルレンズ４８は、図６（ｂ）に示すように、膨出部４５の内面４５ｂに形成されている。フレネルレンズ４８は、円形の内面４５ｂの中心６ｃに対して同心円状に形成された複数個の輪帯レンズからなり、図７に示すように、のこぎり状の断面を有し、当該のこぎり状の幅が中心６ｃから漸次小さくなっている。
【００４４】
包囲体６は、外郭部材３の凹部１５および凹部１６にそれぞれ係止片４７の係止爪４７ｃおよび延出壁４９の凸部５０が挿入されて、環状壁４６の下面４６ｃが周壁部１３の上面１３ｃに載置される。そして、図４中、右回りに包囲体６を回転させると、係止片４７の係止爪４７ｃが周壁部１３の環状溝１４内に入り、凸部５０が凹部１６の周回方向の内壁に当接する。包囲体６は、図４中、右回りにさらに回転されなくなる。そして、図３に示すように、係止片４７の係止爪４７ｃは、環状溝１４に引っ掛かって係止される。このとき、フレネルレンズ４８は、被覆体５の開口４２に対向し、発光体２の発光部２ａに対向する。
【００４５】
また、環状壁４６の外面４６ａは、周壁部１３の外面１３ａとほぼ同一面状となり、係止片４７の外面４７ａおよび延出壁４９の外面４９ａが周壁部１３の内面１３ｂに当接または近接する。こうして、包囲体６は、フレネルレンズ４８が被覆体５の開口４２に対向し被覆体５を覆うように外郭部材３の一端側３ａに取り付けられる。すなわち、包囲体６は、フレネルレンズ４８が発光体２の発光部２ａから放射された白色光を制御するように外郭部材３の一端側３ａに取り付けられるものである。
【００４６】
なお、包囲体６を、図４中、左回りに回転させて、係止片４７の係止爪４７ｃを環状溝１４に係止させるには、凹部１６を周回方向の図４中左方向に延在させて形成することにより可能となる。延出壁４９および凸部５０は、包囲体６の回転を規制するために設けられている。
【００４７】
次に、本発明の実施例１の作用について述べる。
【００４８】
発光装置１は、照明器具の電球用ソケットに装着される。そして、口金３０に外部電源が給電すると、点灯装置４が動作し、点灯装置４から発光体２の複数個のＬＥＤベアチップ８に所定の定電流（電力）が供給される。複数個のＬＥＤベアチップ８は、点灯し、発光体２から白色光が放射される。
【００４９】
発光体２から放射された白色光は、被覆体５の開口４２を通過して包囲体６のフレネルレンズ４８に入射し、フレネルレンズ４８で屈折され、包囲体６を透過して包囲体６の前方側に放射される。フレネルレンズ４８は、膨出部４５の下面４５ｂの中心６ｃから遠ざかるにしたがい、その入射した白色光を前記中心６ｃ側に屈折させる。これにより、白色光は、フレネルレンズ４８の制御により、略平行または集光された光となって、包囲体６から前方側に放射される。
【００５０】
そして、外郭部材３の一端側端面３ｃは、発光体２の発光部２ａを除いて、不透明の被覆体５により覆い隠されている。これにより、発光体２のＬＥＤベアチップ８の点灯の有無に係らず、発光体２の発光部２ａを除き、透明の包囲体６を介して一端側端面３ｃに配設されている給電線３８、雌コネクタ１２、雄コネクタ４０および絶縁紙２１など、さらに図示や説明しなかった部品が見えないものである。
【００５１】
上述したように、本実施形態によれば、外郭部材３の一端側端面３ｃに取り付けられた発光体２と、開口４２に発光体２の発光部２ａが露出するようにして外郭部材３の一端側端面３ｃを覆い隠して一端側端面３ｃに設けられた不透明の被覆体５と、内面４５ｂ側に形成されたフレネルレンズ４８を被覆体５の開口４２に対向させて発光体２の発光部２ａから放射された白色光を制御するように被覆体５を覆って外殻部材３の一端側３ａに取り付けられ、フレネルレンズ４８の制御により発光体２の放射光を略平行または集光させて放射させる包囲体６とを具備しているので、対象物（被照射物）に略平行または集光された光を照射できるとともに、包囲体６を透過して発光体２の発光部２ａの周囲の配線や部品等が見えなくすることができて、発光装置１の包囲体６における外観性を向上することができるという効果を有する。
【００５２】
なお、発光体２は、半導体発光素子としてＬＥＤベアチップ８を用いたが、これに限らず、ＬＥＤパッケージを用いて形成してもよい。また、半導体発光素子として、有機エレクトロルミネセンス（ＥＬ）素子を用いてもよい。
【００５３】
また、被覆体５は、透明の包囲体６を透過して発光体２の発光部２ａの周囲の配線や部品等を見えなくするように外郭部材３の一端側端面３ｃに設けられていればよく、発光体２の発光部２ａを除く外郭部材３の一端側端面３ｃの全体を覆い隠さなくてもよいものである。
【００５４】
また、外郭部材３の他端側３ｂに取り付けられる口金は、Ｅ形口金に限らず、ＧＸ５３形やＧ２３等であってもよい。
【実施例２】
【００５５】
図８および図９は、本発明の実施例２を示し、図８は照明器具の概略正面図、図９は照明器具の一部切り欠き概略側面図である。なお、図１と同一部分には、同一符号を付して説明は省略する。
【００５６】
図９において、照明器具５１は、図１に示す発光装置（ＬＥＤ電球）１を使用するスポットライトであり、図示しない天井に取り付けられている。照明器具５１は、器具本体５２の向きが自由自在に可変されるものであり、これにより、発光装置１の放射光の照射方向が可変される。なお、図８は、器具本体５２が横向きの状態を示し、図９は、器具本体５２が下向きの状態を示している。
【００５７】
器具本体５２は、有底の略円筒状に形成され、内部にソケットとしての電球用ソケット５３を有している。電球用ソケット５３は、器具本体５２の内部に配設されたＬ形金具５４に取り付けられている。Ｌ形金具５４は、複数個のねじ５５により器具本体５２に取り付けられ、電球用ソケット５３は、スペーサ５６および複数個のねじ５７によりＬ形金具５４に取り付けられている。そして、器具本体５２の開口５２ａから発光装置１が挿入され、発光装置１の口金３０（図示しない。）が電球用ソケット５３に螺着されて接続されている。
【００５８】
器具本体５２の外面５２ｂには、平坦状の凹み５８が形成されている。この凹み５８に取付け板５９が取り付けられている。取付け板５９は、所定幅を有する長形の金属板例えば鉄板を折り曲げて形成されている。すなわち、取付け板５９は、凹み５８に固定された図示しない固定板部およびこの固定板部の両端側を正対するように直角に折り曲げた一対の支持板部５９ａ，５９ａに形成されている。
【００５９】
そして、図示しない天井には、有底の円筒状に形成された台座６０が取り付けられている。この台座６０は、天井に固定された支持板６１にねじ６２等を用いて固定されることにより、天井に取り付けられている。台座６０の下面６０ａには、器具本体５２を吊り下げる吊下げ体６３が支持部材６４により取り付けられている。吊下げ体６３は、取付け板５９の一対の支持板部５９ａ，５９ａと同等の幅を有する長尺の金属板例えば鉄板を折り曲げて形成されている。すなわち、図８に示すように、吊下げ体６３は、台座６０の下面６０ａ側に支持部材６４により固定された上板部６３ａおよびこの上板部６３ａの両端側を正対するように直角に折り曲げて垂下した一対の垂下板部６３ｂ，６３ｂに形成されている。
【００６０】
そして、一対の垂下板部６３ｂ，６３ｂと、取付け体５９の一対の支持板部５９ａ，５９ａとは、締付けねじ６５，６５で連結されている。この締付けねじ６５，６５を緩めると、一対の支持板部５９ａ，５９ａに取り付けられている器具本体５２の傾きを自由自在に可変することができる。そして、器具本体５２を所望の傾きにした状態で、締付けねじ６５，６５を完全に締め付けると、一対の支持板部５９ａ，５９ａが一対の垂下板部６３ｂ，６３ｂに固定される。これにより、図９に示すように、器具本体５２は、所望の傾きに維持されて、発光装置１は、所望の照射方向に白色光を放射する。
【００６１】
台座６０には、外部電源に接続している電源線６６，６６が引き込まれている。この電源線６６，６６は、台座６０内で電源コード６７に接続されている。電源コード６７は、支持部材６４および吊下げ体６３の一対の垂下板部６３ｂ，６３ｂの間を介して器具本体５２内に導入されて、電球用ソケット５３に接続されている。これにより、発光装置１は、外部電源から給電可能となっている。
【００６２】
例えば図示しない壁スイッチがオンされて、電球用ソケット５４が外部電源に通電されると、発光装置１の点灯装置４（図示しない。）が動作し、発光体２（図示しない。）の各ＬＥＤチップ８（図示しない。）に電力が供給される。これにより、複数個のＬＥＤチップ８が点灯し、包囲体６から略平行または集光された白色光が放射される。当該白色光は、所望の照射角度で対象物（被照射物）等を照明する。
【００６３】
本実施形態の照明器具５１は、発光装置１を見上げたときに、包囲体６を透過して発光体２の発光部２ａの周囲の配線や部品等が見えないので、発光装置１の包囲体６における外観性を向上し、照明器具５１全体の見栄えが向上するという効果を有する。
【００６４】
なお、本実施形態の照明器具は、スポットライトに限らず、ダウンライトなどの埋め込み形照明器具、吊り下げ形や直付け形の照明器具であってもよい。
【符号の説明】
【００６５】
１…発光装置としてのＬＥＤ電球、  ２…発光体、  ３…外郭部材、  ４…点灯装置、  ５…被服体、  ６…包囲体、  ７…基板、  ８…半導体発光素子としてのＬＥＤベアチップ、  ３０…口金、  ４２…開口、  ５１…照明器具、  ５２…器具本体、  ５３…ソケットとしての電球用ソケット
【図１】
2012119257.tif 000003
【図２】
2012119257.tif 000004
【図３】
2012119257.tif 000005
【図４】
2012119257.tif 000006
【図５】
2012119257.tif 000007
【図６】
2012119257.tif 000008
【図７】
2012119257.tif 000009
【図８】
2012119257.tif 000010
【図９】
2012119257.tif 000011